(57)【特許請求の範囲】
【請求項１】
エレキギターのボディの表面に取り付けたテールピースを用いて複数本の弦の後端を係止するエレキギターの弦係止構造であって、
前記テールピースには、当該テールピースを貫通して延びている相互に平行な複数本の第１弦通し路と、前記テールピースを貫通して延びている相互に平行な複数本の第２弦通し路とが形成されており、
前記第１弦通し路は、前記テールピースにおけるエレキギターのヘッド側を向いている前面部分に露出している第１前端開口部から、当該前面部分とは反対側を向いている後面部分に露出している第１後端開口部まで直線状に延びており、
前記第２弦通し路は、前記テールピースの前記前面部分に露出している第２前端開口部から、当該テールピースにおける前記ボディの表面に当接している底面部分に露出している第２後端開口部まで湾曲して延びており、
前記第１弦通し路のそれぞれは、前記第１前端開口部に繋がっている第１前側弦通し路部分と、前記第１後端開口部に繋がっている第１後側弦通し路部分とを備えており、
前記第２弦通し路のそれぞれは、前記第２前端開口部に繋がっている第２前側弦通し路部分と、前記第２後端開口部に繋がっている第２後側弦通し路部分とを備えており、
前記第１前側弦通し路部分と前記第２前側弦通し路部分は共通の前側弦通し路部分となっており、前記第１前端開口部と前記第２前端開口部は共通の前端開口部となっており、
前記第２後側弦通し路部分は前記前側弦通し路部分に対して傾斜した方向に延びており、
前記ボディには、当該ボディの表面に露出している表面開口部から当該ボディの裏面に露出している裏面開口部に至る平行な複数本のボディ側弦通し穴が形成されており、
前記第２弦通し路のそれぞれの前記第２後端開口部に前記ボディ側弦通し穴のそれぞれの前記表面開口部が連通しており、
前記第２後側弦通し路部分および前記ボディ側弦通し穴は、前記ボディの厚さ方向に対して傾斜した方向に延びる状態に形成されており、
各弦を、前記テールピースの後側から前記第１弦通し路に通して、その後端のボールエンドを前記第１弦通し路の第１後端開口部に係止した第１弦係止形態、および、前記ボディの裏面側から前記ボディ側弦通し穴および前記第２弦通し路に順次に通して、その後端のボールエンドを前記ボディ側弦通し穴の前記裏面開口部に係止した第２弦係止形態のうちのいずれか一方の弦係止形態に設定可能であることを特徴とするエレキギターの弦係止構造。
【請求項２】
請求項１に記載のエレキギターの弦係止構造に用いるテールピースであって、
テールピース本体部材と、
前記テールピース本体部材を貫通して延びている相互に平行な弦係止用の複数本の第１弦通し路と、
前記テールピース本体部材を貫通して延びている相互に平行な弦係止用の複数本の第２弦通し路とを有し、
前記テールピース本体部材を前記エレキギターのボディの表面に取り付けた状態において、各第１弦通し路は前記テールピース本体部材におけるエレキギターのヘッド側を向いている前面部分に露出している第１前端開口部から、当該前面部分とは反対側を向いている後面部分に露出している第１後端開口部まで直線状に延びており、前記第２弦通し路は、前記前面部分に露出している第２前端開口部から前記ボディの表面に当接する底面部分に露出している第２後端開口部まで湾曲して延びており、
前記第１弦通し路のそれぞれは、前記第１前端開口部に繋がっている第１前側弦通し路部分と、前記第１後端開口部に繋がっている第１後側弦通し路部分とを備えており、
前記第２弦通し路のそれぞれは、前記第２前端開口部に繋がっている第２前側弦通し路部分と、前記第２後端開口部に繋がっている第２後側弦通し路部分とを備えており、
前記第１前側弦通し路部分と前記第２前側弦通し路部分は共通の前側弦通し路部分となっており、前記第１前端開口部と前記第２前端開口部は共通の前端開口部となっており、
前記第２後側弦通し路部分は前記前側弦通し路部分に対して傾斜した方向に延びていることを特徴とするテールピース。
【請求項３】
請求項２において、
前記前側弦通し路部分は、前記テールピース本体部材の上面部分に開口している一定幅の溝からなり、
前記第１後側弦通し路部分は円形断面の穴であり、
前記第２後側弦通し路部分は円形断面の穴であり、
前記前側弦通し路部分の溝底面の後端部分に前記第２後側弦通し路部分が開口しており、
前記溝底面の後端部分と、この溝底面から延びている前記第２後側弦通し路部分の内周面部分との間の部分は、曲面によって滑らかに連続している湾曲部分となっていることを特徴とするテールピース。
【請求項４】
請求項３において、
前記テールピース本体部材を前記ボディの表面に取り付けた状態において、前記第１弦通し路は当該表面に平行に直線状に延びており、
前記第２弦通し路の前記第２後側弦通し路部分は当該ボディの厚さ方向に対して当該ボディの前後方向に傾斜した方向に延びていることを特徴とするテールピース。
【請求項５】
請求項２、３または４において、
前記第２後側弦通し路部分は、小径穴部分と、当該小径穴部分の後端に連続して広がっているテーパ状穴部分と、当該テーパ状穴部分の後端に連続している大径穴部分を備え、当該大径穴部分の後端が前記第２後端開口部に繋がっており、
前記小径穴部分は前記弦の外径よりも大きく前記ボールエンドよりも小径の部分であり、前記大径穴部分は前記第２後端開口部から前記ボールエンドを挿入可能な大径の部分であることを特徴とするテールピース。
【発明の詳細な説明】
【技術分野】
【０００１】
本発明はエレキギターの弦係止構造に関し、特に、テールピースを用いて２つの弦係止形態で弦を係止可能なエレキギターの弦係止構造に関する。
【背景技術】
【０００２】
エレキギター、例えばレスポールタイプのものにおいては、ボディの表面に取り付けたテールピースに形成した弦通し穴に弦を通して、ボールエンドと呼ばれる弦の端を弦通し穴の開口部に止め、弦の他方の端をヘッド側のペグに巻き付け、所定の張力で弦が張られている。テールピースに対してヘッド側に配置されているブリッジには、弦を張った際における弦の振動の支点としての機能と共に、ペグでチューニングした音程の微調整機能、指板からの弦の高さ調整のためにブリッジ自体の高さを調整する機能などが備わっている。【０００３】
特許文献１には、テールピースを用いたエレキギターの弦係止構造が記載されている。当該特許文献１においては、トレモロブロックの固定プレートに形成した穴に弦が通され、各穴の後端に形成した大きな内径の部分に弦のボールエンドが係止されるようになっており、固定プレートがテールピースとして機能している。固定プレートには、弦を通すための穴が、その前面から後面に至る直線状の貫通穴となっている。特許文献２には、テールピースが一体化されているブリッジを用いた弦係止構造が記載されており、ブリッジには、ギター前後方向に直線状に延びる弦通し穴が形成されている。
【先行技術文献】
【特許文献】
【０００４】
【特許文献１】特表２００７−５３７４７１号公報
【特許文献２】特開２００５−１９５９５４号公報
【発明の概要】
【発明が解決しようとする課題】
【０００５】
ここで、従来におけるエレキギターの弦を係止するために用いられているテールピースは、ギター前後方向に直線状に貫通して延びている６本の弦通し穴が形成された構成のものが一般的であり、テールピース自体に、異なる弦係止形態、例えば弦長が異なる弦係止形態で弦を係止する機能が備わったものについては何ら提案されていない。【０００６】
本発明の課題は、この点に鑑みて、テールピースを用いて２つの異なった弦係止形態で弦を係止することのできるエレキギターの弦係止構造、および当該弦係止構造を構成するのに適したテールピースを提案することにある。
【課題を解決するための手段】
【０００７】
上記の課題を解決するために、本発明は、エレキギターのボディの表面に取り付けたテールピースを用いて複数本の弦の後端を係止するエレキギターの弦係止構造であって、
前記テールピースには、当該テールピースを貫通して延びている相互に平行な複数本の第１弦通し路と、前記テールピースを貫通して延びている相互に平行な複数本の第２弦通し路とが形成されており、
前記第１弦通し路は、前記テールピースにおけるエレキギターのヘッド側を向いている前面部分に露出している第１前端開口部から、当該前面部分とは反対側を向いている後面部分に露出している第１後端開口部まで直線状に延びており、
前記第２弦通し路は、前記テールピースの前記前面部分に露出している第２前端開口部から、当該テールピースにおける前記ボディの表面に当接している底面部分に露出している第２後端開口部まで湾曲して延びており、
前記第１弦通し路のそれぞれは、前記第１前端開口部に繋がっている第１前側弦通し路部分と、前記第１後端開口部に繋がっている第１後側弦通し路部分とを備えており、
前記第２弦通し路のそれぞれは、前記第２前端開口部に繋がっている第２前側弦通し路部分と、前記第２後端開口部に繋がっている第２後側弦通し路部分とを備えており、
前記第１前側弦通し路部分と前記第２前側弦通し路部分は共通の前側弦通し路部分となっており、前記第１前端開口部と前記第２前端開口部は共通の前端開口部となっており、
前記第２後側弦通し路部分は前記前側弦通し路部分に対して傾斜した方向に延びており、
前記ボディには、当該ボディの表面に露出している表面開口部から当該ボディの裏面に露出している裏面開口部に至る平行な複数本のボディ側弦通し穴が形成されており、
前記第２弦通し路のそれぞれの前記第２後端開口部に前記ボディ側弦通し穴のそれぞれの前記表面開口部が連通しており、
前記第２後側弦通し路部分および前記ボディ側弦通し穴は、前記ボディの厚さ方向に対して傾斜した方向に延びる状態に形成されており、
各弦を、前記テールピースの後側から前記第１弦通し路に通して、その後端のボールエンドを前記第１弦通し路の第１後端開口部に係止した第１弦係止形態、および、前記ボディの裏面側から前記ボディ側弦通し穴および前記第２弦通し路に順次に通して、その後端のボールエンドを前記ボディ側弦通し穴の前記裏面開口部に係止した第２弦係止形態のうちのいずれか一方の弦係止形態に設定可能であることを特徴としている。
【０００８】
本発明のエレキギターの弦係止構造では、ボディの裏面側からその表面に取り付けたテールピースを経由させて各弦を通す第２弦係止形態と、従来と同様にテールピースに弦を通して係止する第１弦係止形態との２つの弦係止形態で弦を係止できる。ギターボディに形成したボディ側弦通し穴はテールピースによって覆い隠されるので、ギターボディの表面の見た目を変えることなく、２つの弦係止形態で弦を係止することが可能である。【０００９】
また、第１弦通し路が備わっている既存のテールピースに第２弦通し路を形成し、ボディにホディ側弦通し穴を形成するだけで良く、新たな部品の製造、取り付けが不要である。よって、製造コスト、製造工程の大幅な増加を招くことなく、簡単な構成により、２つの弦係止形態を実現できる。【００１０】
さらに、第２弦係止形態では、弦をボディに形成したボディ側弦通し穴に通しているので、テールピースに弦を係止する第１弦係止形態に比べて、弦振動をより効率良くギターボディに伝達することができ、これによってより多くの倍音を得ることが可能になる。【００１１】
さらには、第２弦係止形態では、第１弦係止形態に比べて、弦長が長くなる。また、第２弦通し路をテールピースの前面部分から底面部分に向けて湾曲した形状としておくことにより、当該第２弦通し路の湾曲部分によって弦を支持することで、弦に対して大きな張力を与えることができる。この結果、ダウンチューニングした際に、第１弦係止形態に比べて、弦を大きな張力が作用した緊張状態に維持でき、ダウンチューニング状態でのギター演奏をストレスなく行うことができる。【００１２】
また、本発明では、第２弦通し路の後側弦通し路部分を第１弦通し路に対して９０度未満の傾斜角度となるように形成している。傾斜角度を変えることにより、弦に与える張力を変えることが可能である。
【００１３】
次に、本発明は、上記のエレキギターの弦係止構造に用いるテールピースであって、
テールピース本体部材と、
前記テールピース本体部材を貫通して延びている相互に平行な弦係止用の複数本の第１弦通し路と、
前記テールピース本体部材を貫通して延びている相互に平行な弦係止用の複数本の第２弦通し路とを有し、
前記テールピース本体部材を前記エレキギターのボディの表面に取り付けた状態において、各第１弦通し路は前記テールピース本体部材におけるエレキギターのヘッド側を向いている前面部分に露出している第１前端開口部から、当該前面部分とは反対側を向いている後面部分に露出している第１後端開口部まで直線状に延びており、前記第２弦通し路は、前記前面部分に露出している第２前端開口部から前記ボディの表面に当接する底面部分に露出している第２後端開口部まで湾曲して延びており、
前記第１弦通し路のそれぞれは、前記第１前端開口部に繋がっている第１前側弦通し路部分と、前記第１後端開口部に繋がっている第１後側弦通し路部分とを備えており、
前記第２弦通し路のそれぞれは、前記第２前端開口部に繋がっている第２前側弦通し路部分と、前記第２後端開口部に繋がっている第２後側弦通し路部分とを備えており、
前記第１前側弦通し路部分と前記第２前側弦通し路部分は共通の前側弦通し路部分となっており、前記第１前端開口部と前記第２前端開口部は共通の前端開口部となっており、
前記第２後側弦通し路部分は前記前側弦通し路部分に対して傾斜した方向に延びていることを特徴としている。
【図面の簡単な説明】
【００１４】
【図１】本発明を適用したレスポールタイプのエレキギターの一例を示す正面図である。
【図２】図１のエレキギターにおけるテールピースを用いた弦係止構造を示す概略断面図である。
【図３】図１のエレキギターのテールピースを示す斜視図である。
【図４】図１のテールピースを示す正面図、平面図、背面図、右側面図および底面図である。
【図５】図１のテールピースの断面図である。
【図６】テールピースの変形例を示す説明図である。
【発明を実施するための形態】
【００１５】
以下に、図面を参照して本発明を適用したエレキギターの実施の形態を説明する。図１に示すように、本発明を適用したレスポールタイプのエレキギター１の基本構成は一般的なものであり、ボディ２、ネック３およびヘッド４を備え、ボディ２の表面５には、そのネック側から２つのピックアップ６、７、ブリッジ８、およびテールピース９が取り付けられている。６本の弦１０は、それらの一方の端（ボールエンド）がテールピース９の側に係止され、他方の端がヘッド４に取り付けられている各ペグ１１に巻き付けられている。
【００１６】
図２はエレキギター１の部分拡大断面図であり、ボディ２の表面５に取り付けたテールピース９を用いて弦１０の後端を係止している弦係止構造を示している。図３はテールピース９を示す斜視図である。これらの図を参照して説明すると、テールピース９は金属製の細長いテールピース本体部材１２から形成されている。テールピース本体部材１２の両端部にはヘッド４側（前方）および上方に開口しているボルト装着溝１３、１４が形成されている。これらのボルト装着溝１３、１４に装着された２本のテールピース取付用ボルト１５、１６によって、テールピース本体部材１２がボディ２の表面５に固定されている。
【００１７】
すなわち、テールピース取付用ボルト１５、１６は、ボディ２に予め埋め込まれているナット（図示せず）にねじ込み固定されており、それらの頭部１５ａ、１６ａがボディ２の表面５から突出している。頭部１５ａ、１６ａから一定の間隔の位置には円盤状のフランジ１５ｂ、１６ｂが形成されており、これらのフランジ１５ｂ、１６ｂの上面がボディ２の表面５と同一の高さに位置している。テールピース９の左右のボルト装着溝１３、１４が形成されている部分が、テールピース取付用ボルト１５、１６に対して後側から、頭部１５ａ、１６ａとフランジ１５ｂ、１６ｂの間に差し込まれている。
【００１８】
テールピース本体部材１２には、そこを貫通して延びている相互に平行な弦係止用の６本の第１弦通し路１７と、テールピース本体部材１２を貫通して延びている相互に平行な弦係止用の６本の第２弦通し路１８とが形成されている。第１弦通し路１７は、テールピース本体部材１２におけるエレキギター１のヘッド４側を向いている前面部分１９に露出している第１前端開口部１７ａから、当該前面部分１９とは反対側を向いている後面部分２０に露出している第１後端開口部１７ｄに至る直線状の通路である。第２弦通し路１８は、テールピース本体部材１２の前面部分１９に露出している第２前端開口部１８ａから、当該テールピース本体部材１２におけるボディ２の表面５に当接している底面部分２１に露出している第２後端開口部１８ｄに至る通路である。
【００１９】
ここで、第１弦通し路１７は、第１前端開口部１７ａの側の第１前側弦通し路部分１７ｂと、第１後端開口部１７ｄの側の第１後側弦通し路部分１７ｃとを備えている。第２弦通し路１８も前端開口部１８ａの側の第２前側弦通し路部分１８ｂと、第２後端開口部１８ｄの側の第２後側弦通し路部分１８ｃとを備えている。本例では、第１前側弦通し路部分１７ｂと第２前側弦通し路部分１８ｂが共通の前側弦通し路部分２２となっており、これらの前端の第１前端開口部１７ａおよび第２前端開口部１８ａも共通の前端開口部２３となっている。また、第１弦通し路１７の第１後側弦通し路部分１７ｃは前側弦通し路部分２２の後端に直線状に連続しているが、第２弦通し路１８の第２後側弦通し路部分１８ｃは、前側弦通し路部分２２の後端部分から直角に折れ曲がった方向に直線状に延びている。
【００２０】
一方、ボディ２にはその厚さ方向に貫通するボディ側弦通し穴２４が形成されている。ボディ側弦通し穴２４は、ボディ２の表面５に露出している表面開口部２４ａからボディ２の裏面２５に露出している裏面開口部２４ｂに至る貫通穴である。ボディ２の表面５に取り付けたテールピース本体部材１２の第２弦通し路１８の第２後端開口部１８ｄのそれぞれに、ボディ側弦通し穴２４の表面開口部２４ａのそれぞれが連通している。
【００２１】
この構成の弦係止構造では、図２において想像線Ａで示すように、各弦１０を、テールピース本体部材１２の後側から第１弦通し路１７に通し、その後端のボールエンド１０ａを第１弦通し路１７の第１後端開口部１７ｄに係止した第１弦係止状態で係止することができる。また、図２において実線Ｂで示すように、各弦１０を、ボディ２の裏面２５側からボディ側弦通し穴２４および第２弦通し路１８に順次に通して、その後端のボールエンド１０ａをボディ側弦通し穴２４の裏面開口部２４ｂに係止した第２弦係止状態で係止することができる。
【００２２】
図４（ａ）〜（ｅ）は、それぞれ、テールピース９を示す正面図、平面図、背面図、右側面図および底面図であり、図５はテールピース９の断面図である。これらの図を参照してテールピース９の各部分の構造を詳しく説明する。
【００２３】
先に説明したように、第１弦通し路１７は直線状に延びる通路であり、前側弦通し路部分２２（第１前側弦通し路部分１７ｂ）と第１後側弦通し路部分１７ｃを備えており、前側弦通し路部分２２の前端が、テールピース本体部材１２の前面部分１９の前端開口部２３（第１前端開口部１７ａ）に繋がっており、第１後側弦通し路部分１７ｃの後端が後面部分２０の第１後端開口部１７ｄに繋がっている。本例の前側弦通し路部分２２は、テールピース本体部材１２の上面部分２６に開口している一定幅の溝であり、その溝底面２２ａは半円形の湾曲面によって規定されており、左右の溝側面２２ｂは溝底面の両側縁から上面部分２６に向けて底面部分２１に対して垂直に延びている平坦な側面によって規定されている。
【００２４】
第１後側弦通し路部分１７ｃは、溝底面２２ａの曲率半径と同一の半径の小径穴部分１７ｅと、この後端に連続して広がっているテーパ状穴部分１７ｆと、この後端に連続している大径穴部分１７ｇからなり、大径穴部分１７ｇの後端が第１後端開口部１７ｄに繋がっている。溝形状の前側弦通し路部分２２および第１後側弦通し路部分１７ｃの小径穴部分１７ｅは弦１０の外径よりも大きくボールエンド１０ａよりも小径の部分であり、後側の大径穴部分１７ｇは弦１０のボールエンド１０ａを挿入可能な部分である。
【００２５】
一方、第２弦通し路１８は、その前側部分が第１弦通し路１７と共通の前側弦通し路部分２２となっており、その後側部分が前側弦通し路部分２２の後端部分から底面部分２１に向けて直角に折れ曲がって直線状に延びている第２後側弦通し路部分１８ｃとなっている。この第２後側弦通し路部分１８ｃの後端が底面部分２１に露出している第２後端開口部１８ｄに繋がっている。第２後側弦通し路部分１８ｃは、溝底面２２ａの曲率半径と同一の半径の小径穴部分１８ｅと、この後端に連続して広がっているテーパ状穴部分１８ｆと、この後端に連続している大径穴部分１８ｇからなり、大径穴部分１８ｇの後端が第２後端開口部１８ｄに繋がっている。第２後側弦通し路部分１８ｃの小径穴部分１８ｅは弦１０の外径よりも大きくボールエンド１０ａよりも小径の部分であり、後側の大径穴部分１８ｇは弦１０のボールエンド１０ａを挿入可能な部分である。
【００２６】
ここで、溝形状の前側弦通し路部分２２の溝底面２２ａの後端に第２後側弦通し路部分１８ｃの小径穴部分１８ｅが開口している。そして、溝底面２２ａの後端部分と小径穴部分１８ｅの内周面部分との間は、図５から分かるように、凸曲面によって滑らかに連続している湾曲部分２７となっている。第２弦係止形態においては、この湾曲部分２７によって弦１０が支持された状態で係止される（図２参照）。
【００２７】
この構成のテールピース９においては、第１弦通し路１７および第２弦通し路１８の前半部分が共通の溝状の前側弦通し路部分２２となっている。したがって、弦１０をボディ２の裏面２５側から第２弦通し路１８を通ってテールピース９の上面部分２６の側に引き出した後に、共通の前側弦通し路部分２２に沿って弦１０を前方に引き出す操作を容易に行うことができる。
【００２８】
（その他の実施の形態）
図６（ａ）〜（ｃ）は、第１弦通し路１７および第２弦通し路１８を備えたテールピース９の変形例を示す説明図である。図６（ａ）に示すテールピース９Ａでは、第１弦通し路１７Ａは円形断面の直線状の貫通穴であり、前側弦通し穴部分４１と後側弦通し穴部分４２を備えている。第２弦通し路１８Ａは、第１弦通し路１７Ａの前側弦通し穴部分４１と共通な前側弦通し穴部分４３と、後側弦通し穴部分４４を備えている。後側弦通し穴部分４４は、第１弦通し路１７Ａにおける前側弦通し穴部分４１および後側弦通し穴部分４２の間の部位から直角に分岐した円形断面の直線状の分岐穴部分となっている。
【００２９】
図６（ｂ）に示すテールピース９Ｂでは、第１弦通し路１７Ｂは円形断面の直線状の貫通穴である。第２弦通し路１８Ｂは前側弦通し穴部分４３Ｂと後側弦通し穴部分４４Ｂを備えている。前側弦通し穴部分４３Ｂは第１弦通し路１７Ｂよりも上面部分の側において直線状に延びる円形断面の穴であり、後側弦通し穴部分４４Ｂは前側弦通し穴部分４３Ｂの後端から底面部分に向けて直角に折れ曲がって直線状に延びている円形断面の穴である。この後側弦通し穴部分４４Ｂは、途中位置において、第１弦通し路１７Ｂに対して直角に交差して延びている。
【００３０】
図６（ｃ）に示すテールピース９Ｃは図６（ｂ）に示すテールピース９Ｂと基本的に同一である。テールピース９Ｃでは、第１弦通し路１７Ｃは円形断面の直線状の貫通穴であるが、第２弦通し路１８Ｃは、上方に開口した溝からなる前側弦通し溝部分４３Ｃと、円形断面の後側弦通し穴部分４４Ｃとを備えている。
【００３１】
なお、上記の各例では、第２弦通し路の後側弦通し路部分（後側弦通し穴部分）およびボディに形成した第３弦通し穴がボディ厚さ方向に延びているが、ボディ厚さ方向に対して傾斜した方向に延びる状態に形成することも可能である。例えば、図２において一点鎖線で示す矢印Ｃ、Ｄのように、これらをボディ厚さ方向に対して前後に鋭角で傾斜させることも可能である。ボディ厚さ方向に延びている場合には穴加工が容易であるという利点がある。穴を傾斜させることにより、弦長を変えることができるので弦に加わる張力を調整できる。
【図１】
0005894166.tif 000002
【図２】
0005894166.tif 000003
【図３】
0005894166.tif 000004
【図４】
0005894166.tif 000005
【図５】
0005894166.tif 000006
【図６】
0005894166.tif 000007